(57)【要約】【課題】ロールシートの切り易さの向上を図ると共に、不使用時にシートの先端部分に埃等が付着し難いロールシート用収納体及び収納体一体型ロールシートを提供する。【解決手段】内部にロールシート１を収納可能とし、正面部２、底面部３、背面部４、上面部５及び両側面部６，６を有し、正面部２にロールシート１を取り出し可能な取出口１０が形成された、直方体形状の収納体において、取出口１０は、幅方向の中央部分における上下の端縁の間隔が最も狭くなり、この中央部分から両端縁に向って上下の端縁の間隔が広がるように傾斜する形状で形成し、収納体には、この取出口１０を被覆可能とした開閉蓋７を形成する。【選択図】図１
2007055614.tif 000002
【特許請求の範囲】
【請求項１】
内部にロールシートを収納可能とし、正面部、底面部、背面部、上面部及び両側面部を有し、正面部に前記ロールシートを取り出し可能な取出口が形成された、直方体形状の収納体であって、
前記取出口は、幅方向の中央部分における上下の端縁の間隔が最も狭くなり、この中央部分から両端縁に向って上下の端縁の間隔が広がるように傾斜する形状で形成され、
前記収納体には、この取出口を被覆可能とした開閉蓋が形成された、
ことを特徴とするロールシート用収納体。
【請求項２】
前記取出口の幅は、前記ロールシートの幅の１／３以上の長さで形成された、請求項１記載のロールシート用収納体。
【請求項３】
前記収納体の内部に、前記ロールシートを保持する回転保持具が設けられ、
該回転保持具は、前記ロールシートのロール芯内に挿入される保持軸と、この保持軸を支持する保持板と、を備え、
該保持板は、収納体の側面部の内寸に合わせた四角形状の第１の当て板と、この四角板の略中央部に取りつけられ、前記ロールシートの巻径よりも小さい円形状の第２の当て板と、を有する構成とされた、請求項１又は２記載のロールシート用収納体。  
【請求項４】
前記上面部に、抜き加工により取手部が形成された、請求項１乃至３のいずれか１項記載のロールシート用収納体。
【請求項５】
前記開閉蓋は、前記取出口と前記取手部とを選択的に被覆可能に構成された、請求項４記載のロールシート用収納体。
【請求項６】
前記収納体には、前記取手部を被覆可能とした第２の開閉蓋が形成された、請求項４記載のロールシート用収納体。
【請求項７】
請求項１乃至６のいずれか１項記載のロールシート用収納体に、ロールシートが収納された収納体一体型ロールシート。
【請求項８】
前記ロールシートは、幅方向に沿うミシン目が長手方向に所定の間隔を空けて複数形成された１プライ以上のシートから形成され、かつこのミシン目の乾燥引張強度が２００〜１３００ｃＮ／２５ｍｍである、請求項７記載の収納体一体型ロールシート。
【発明の詳細な説明】
【技術分野】
【０００１】
本発明は、ロールシート用収納体、及びその内部にロールシートが収納された収納体一体型ロールシートに関するものである。
【背景技術】
【０００２】
自動車整備工場、板金塗装工場などでは、部品や工具を拭いたり、塗装面を磨く等の作業に、紙や不織布、布製などのワイパー（ウエス）からなるシートを使用している。このうち、ロールタイプのものとしては、スタンドに掛けて、シートを外周から引き出す外取りタイプ（巻き芯あり）（例えば、特許文献１参照）、収納体（ホルダー又はディスペンサー）に入れてシートの内周から引き出す内取りタイプ（巻き芯なし）の二種類のタイプがある。
【特許文献１】特開２００３−２２１１６７号公報
【発明の開示】
【発明が解決しようとする課題】
【０００３】
しかしながら、内取りタイプはシートを広げにくいという問題点がある。また、外取りタイプは、シートを広げやすいものの、ロールシートがミシン目で切り難かったり、不使用時にシートの先端部分（取り出し部分）に埃等が付着しやすいという問題点がある。
そこで、本発明の主たる課題は、ロールシートの切り易さの向上を図ると共に、不使用時にシートの先端部分に埃等が付着し難いロールシート用収納体及び収納体一体型ロールシートを提供することにある。
【課題を解決するための手段】
【０００４】
上記課題を解決した本発明は、次のとおりである。
＜請求項１記載の発明＞
請求項１記載の発明は、内部にロールシートを収納可能とし、正面部、底面部、背面部、上面部及び両側面部を有し、正面部に前記ロールシートを取り出し可能な取出口が形成された、直方体形状の収納体であって、前記取出口は、幅方向の中央部分における上下の端縁の間隔が最も狭くなり、この中央部分から両端縁に向って上下の端縁の間隔が広がるように傾斜する形状で形成され、前記収納体には、この取出口を被覆可能とした開閉蓋が形成された、ことを特徴とするロールシート用収納体である。
【０００５】
（作用効果）
取出口は、幅方向の中央部分における上下の端縁の間隔が最も狭くなり、この中央部分から両端縁に向って上下の端縁の間隔が広がるように傾斜する形状で形成されていることにより、ロールシートの先端部分を掴み、下方又は上方に引き出すと、最初に周縁の中央部分に当接することにより、ロールシートの中央の１点に押圧の応力が集中するため、強く引き出さなくてもロールシートを容易に分断することができるようになっている。
また、収納体には、この取出口を被覆可能とした開閉蓋が形成されていることにより、取出口から埃等の異物が混入することを防ぐことができる。
【０００６】
＜請求項２記載の発明＞
請求項２記載の発明は、前記取出口の幅は、前記ロールシートの幅の１／３以上の長さで形成された、請求項１記載のロールシート用収納体である。
【０００７】
（作用効果）
取出口の幅は、ロールシートの幅の１／３以上の長さで形成されていることにより、ロールシートが取り出し易くなる。
【０００８】
＜請求項３記載の発明＞
請求項３記載の発明は、前記収納体の内部に、前記ロールシートを保持する回転保持具が設けられ、該回転保持具は、前記ロールシートのロール芯内に挿入される保持軸と、この保持軸を支持する保持板と、を備え、該保持板は、収納体の側面部の内寸に合わせた四角形状の第１の当て板と、この四角板の略中央部に取りつけられ、前記ロールシートの巻径よりも小さい円形状の第２の当て板と、を有する構成とされた、請求項１又は２記載のロールシート用収納体である。
【０００９】
（作用効果）
回転保持具が設けられることにより、ロールシートが取り出し易くなり、かつ安定的にシートを送り出すことができる。
また、保持板は、収納体の側面部の内寸に合わせた四角形状の第１の当て板と、この四角板の略中央部に取りつけられ、ロールシートの巻径よりも小さい円形状の第２の当て板とを有する構成とされ、このうち第１の当て板によって回転保持具の固定が確実なものとなり、がたつき等が防止されてシート繰り出しが安定化され、第２の当て板によってロール側面の傷みが防止される。
【００１０】
＜請求項４記載の発明＞
請求項４記載の発明は、前記上面部に、抜き加工により取手部が形成された、請求項１乃至３のいずれか１項記載のロールシート用収納体である。
【００１１】
（作用効果）
上面部に抜き加工により取手部を形成することにより、収納体の持ち運びが容易となる。
【００１２】
＜請求項５記載の発明＞
請求項５記載の発明は、前記開閉蓋は、前記取出口と前記取手部とを選択的に被覆可能に構成された、請求項４記載のロールシート用収納体である。
【００１３】
（作用効果）
開閉蓋を取出口と取手部とを選択的に被覆可能に構成することにより、ロールシートを使用しない状態や収納体を持ち運ぶ状態では、取出口を被覆することにより、取出口から埃等の異物が混入することを防ぐことができ、また、ロールシートを使用する状態では、取手部を被覆することにより、取手部から埃等の異物が混入することを防ぐことができる。
【００１４】
＜請求項６記載の発明＞
請求項６記載の発明は、前記収納体には、前記取手部を被覆可能とした第２の開閉蓋が形成された、請求項４記載のロールシート用収納体である。
【００１５】
（作用効果）
収納体に取手部を被覆可能とした第２の開閉蓋を形成することにより、取手部から埃等の異物が混入することを防ぐことができる。
【００１６】
＜請求項７記載の発明＞
請求項７記載の発明は、請求項１乃至６のいずれか１項記載のロールシート用収納体に、ロールシートが収納された収納体一体型ロールシートである。
【００１７】
＜請求項８記載の発明＞
請求項８記載の発明は、前記ロールシートは、幅方向に沿うミシン目が長手方向に所定の間隔を空けて複数形成された１プライ以上のシートから形成され、かつこのミシン目の乾燥引張強度が２００〜１３００ｃＮ／２５ｍｍである、請求項７記載の収納体一体型ロールシートである。
【００１８】
（作用効果）
ロールシートを１プライ以上のシートで形成し、かつミシン目の乾燥引張強度を２００〜１３００ｃＮ／２５ｍｍとすることにより、ロールシートの切り易さを向上させることができる。
【発明の効果】
【００１９】
本発明によれば、ロールシートの切り易さが向上させることができると共に、不使用時にシートの先端部分に埃等が付着し難くなる等の利点がもたらされる。
【発明を実施するための最良の形態】
【００２０】
以下、本発明の実施の形態を図１乃至図１６に基づき説明する。
本発明の一実施の形態に係るロールシート用収納体は、図１乃至図５に示すように、内部に巻取ロールシート１を収納可能とし、正面部２、底面部３、背面部４、上面部５及び両側面部６，６を有した直方体形状の箱体であり、正面部２にロールシート１を取り出し可能な取出口１０と、上面部５に抜き加工により形成された取手部１１と、これら取出口１０と取手部１１を被覆可能とした開閉蓋７と、を備えている。
【００２１】
ロールシート１は、中空のロール芯１Ａに巻きつけた１プライ以上から形成されるシートからなり、長手方向（ライン流れ方向、ＭＤ方向）に所定の間隔をおいて幅方向（ライン流れ方向に対して横断方向、ＣＤ方向）にミシン目（図示せず）が形成されており、このミシン目を境として切断され分断されるようになっている。
【００２２】
このミシン目は、必ずしも必要とされないが、使用の用途や使い勝手によっては形成された方が好ましい。その場合、ミシン目の乾燥引張強度が２００〜１３００ｃＮ／２５ｍｍであることが好適である。２００ｃＮ／２５ｍｍ未満であると、強度が弱く引き出しの途中でミシン目から切れ、他方、１３００ｃＮ／２５ｍｍを超えると、強度が大き過ぎて切れにくく、使い勝手が悪くなる恐れがあるためである。なお、ミシン目における乾燥引張強度は、ＪＩＳ  Ｐ  ８１１３に準じて測定されるものであり、幅を２５ｍｍとしてサンプルの長手方向を引張方向に合わせるとともにチャック（つかみ具）間の中央にミシン目を位置させて行われるものである。
【００２３】
シートの材質としては、紙、不織布や布等とすることができるが、特に限定はされない。ただし、ロールシートとしては、１プライ以上からなる紙シートであり、ミシン目が形成された上、ミシン目の乾燥引張強度が２００〜１３００ｃＮ／２５ｍｍであることが好適である。なお、ミシン目のピッチや、幅の長さ、巻径等は、使用の用途や使い勝手などにより適宜調整されるものであり、また、ロールシートの表面にエンボス加工を施してもよい。  
【００２４】
本発明では、ロールシートの坪量は限定されるものではないが、プライ数に応じて紙なら１５〜８０ｇ／ｍ2、不織布なら２０〜１００ｇ／ｍ2のものが望ましい。なお、坪量は、ＪＩＳ  Ｐ  ８１２４の規定に準拠して測定される。また、ロールシートは、ロール芯を有するものと、ロール芯無しのものとがあるが、いずれも採用することができる。
【００２５】
ロールシート用収納体は、ダンボールや板紙などの紙シートから形成してもよいし、プラスチックなどの樹脂等から形成してもよい。収納体の内部には、ロールシート１を取り出し易くし、かつ安定的にシートを送り出すための回転保持具８が設けられている。図８に示すように、回転保持具８は、ロールシート１のロール芯１Ａ内に挿入する保持軸８Ａと、この保持軸８Ａを支持する保持板８Ｂと、を備えている。保持板８Ｂは、収納体の側面部６の内寸に合わせた四角形状の第１の当て板８ａと、この第１の当て板８ａの略中央部に取りつけられた円形状の第２の当て板８ｂとを有しており、これら第１の当て板８ａ及び第２の当て板８ｂの略中央を貫いて保持軸８Ａが取付けられている。
【００２６】
第１の当て板８ａは、収納体の側面部６に接着等により固定されているが、この第１の当て板８ａが側面部６の内寸に合わせた四角形状であることにより、回転保持具８の固定が確実なものとなり、がたつき等が防止され、シート繰り出しが安定化される。また、第２の当て板８ｂは、第１の当て板８ａに固定されているが、この第２の当て板８ｂがロールシート１の巻径よりも小さい円形形状であることにより、ロール側面の傷みが防止されるものである。
【００２７】
なお、収納体の内部に回転保持具８を取付けなくてもロールシート１を取出すことが可能であるため、本発明において回転保持具８は必須の構成ではないが、ロールシート１を取り出し易くし、かつ安定的にシートを送り出すことができるため取付けることが好適である。また、取付けることにより、後述する取出口１０との関係で、取出口１０の高さ方向の略中央とロールシート１の軸芯の高さ位置と一致させることができ、そのため、ロールシート１を取り出し易くできると共に、切り易くすることができる。
【００２８】
図２及び図６に示すように、正面部２に形成された取出口１０は、略砂時計形状であり、具体的には、幅方向の中央部分における上下の端縁の間隔が最も狭くなり、この中央部分から両端縁に向って上下の端縁の間隔が広がるように傾斜する形状で形成されている。この形状は、中央部分から両端縁に向ってシートに漸次接近する形状となっている。そのため、ロールシート１の先端部分を掴み、下方又は上方に引き出すと、最初に取出口１０の周縁の中央部分に当接することにより、ロールシート１の中央の１点に押圧の応力が集中するため、強く引き出さなくてもロールシート１を容易に分断することができるようになっている。
【００２９】
また、使い勝手等によっては、ロールシート１の先端部分を掴み、下方又は上方のどちらか一方にのみ引き出す場合もあり得ることから、取出口１０の他の形態としては、図１２及び図１３のように、中央部分から両端縁に向って上又は下の端縁のみが傾斜する形状で形成されることもできる。さらには、図１４及び図１５のように、中央部分から両端縁に向って上下の端縁の間隔が広がるように傾斜する形状であっても、上下の端縁の傾斜角度が異なるようにしてもよい。
【００３０】
また、取出口１０の周縁の中央部分の先端形状は、図示はしないが、尖った形状であってもよいし、丸みを帯びた形状であってもよい。ロールシート１の先端部分が収納体の内部に入り込んでしまった場合、手指で掴み出すことを考慮するならば、手指を傷付けないためにも、丸みを帯びた形状の方が好ましい。
【００３１】
幅方向の中央部分における上下の端縁の間隔としては、２０〜５０ｍｍが好ましく、さらに好適には２５〜４０ｍｍが望ましい。２０ｍｍ未満であると、ロールシート１の先端部分が収納体の内部に入り込んでしまった場合、手指で掴み出しにくい不具合が生じるからであり、他方、５０ｍｍを超えると、埃等の異物が混入し易くなってしまうからである。
【００３２】
また、前述したようにロールシート１の取り出し易さと切り易さの為、回転保持具８の取付けることにより、取出口１０の高さ方向の略中央とロールシート１の軸芯の高さ位置と一致させることが好ましい。さらに、取出口１０の幅は、ロールシート１の取り出しやすさ等の観点からロールシート１の１／３〜１／１（ロールシートの幅と同一長さ）の長さを有していることが好ましい。１／３未満であると、ロールシート１を取り出す際に取出口１０に引っ掛かり易くなり、強い力で引っ張るとロールシート１が破れてしまう恐れがあり、他方、１／１以上（例えば、正面部２の幅と同一長さ）では、取り出し易くはなるが、取出口１０から埃等の異物が混入し易くなってしまうからである。
【００３３】
なお、図１１において点線で示すように、取出口１０を破断線（ミシン目）で形成しておき、使用時に破断線を切ることで、取出口１０が形成されるようにしてもよい。  
【００３４】
図３及び図７に示すように、取手部１１は、収納体の上面部５に手指が差し入れ可能なほどの大きさで、かつ所定の間隔をおいて抜き加工により二箇所開口された開口部１１Ａ，１１Ａと、二つの開口部１１Ａ，１１Ａに挟まれた部分により形成された把持部１１Ｂとから構成されている。収納体を持ち運ぶ際には、どちらか一方の開口部１１Ａから収納体内部に向けて手指を差し入れ、他方の開口部１１Ａから手指の先端部分を外部に出し、手指で把持部１１Ｂを把持することで収納体を持ち運べばよい。この取手部１１を形成するにあたり、開口部１１Ａ，１１Ａのかたちに破断線（ミシン目）を形成しておき、使用時に破断線を切ることで、開口部１１Ａ，１１Ａが形成されるようにしてもよい。図５及び図１１では、把持部１１Ｂに沿った縁部以外を破断線で形成して、把持部１１Ｂに沿った縁部を境に収納体内部に開口片を折曲する実施の形態を示している。この場合、開口片は把持部１１Ｂを補強する補強材として機能させることができるし、未使用の時に開口片を元に戻し開口部１１Ａ，１１Ａを封止して、埃等の異物が混入しないようにすることができる。
【００３５】
なお、図１６のように、上面部５の下に、上面部５の内寸に合わせた大きさの仕切り面９を配置し、開口片を元に戻さなくとも埃等の異物が混入しないようにする形態も考えることができる。
【００３６】
開閉蓋７は、後述するように収納体が１枚のシートを組み立てることにより形成される場合では、上面部５又は正面部２に連続して取付けられており（図１１では上面部５に連続させているが、これに換えて、正面部２に連続させていてもよい）、上面部５及び正面部２の端縁を介して、上方または下方に折曲できるようになっている。上方に折曲させることで、取手部１１を被覆することができ、下方に折曲させることで、取出口１０を被覆することができるようになっている。
【００３７】
開閉蓋７は、上面部５及び正面部２の大きさと同じであるため、図４、図６及び図７に示すように、これを折曲させると上面部５及び正面部２の全面を被覆できるようになっている。開閉蓋７の先端縁には、タック（差込フラップ）７Ａが形成されており、このタック７Ａを上面部５及び正面部２に形成されたタック差込口５Ａ，２Ａに差し込むことで、開閉蓋７を固定できるようになっている。開閉蓋７は、ロールシート１を使用しない状態や収納体を持ち運ぶ状態では、取出口１０を覆うように開閉蓋７を折曲させ、正面部２に形成されたタック差込口２Ａにタック７Ａを差込んで開閉蓋７を固定することにより、取出口１０から埃等の異物が混入することを防ぐことができる。また、ロールシート１を使用する状態では、取出口１０から開閉蓋７を開けるように折曲させ、上面部５に形成されたタック差込口５Ａにタック７Ａを差込んで開閉蓋７を固定することにより、シートを取出し可能とすると共に、取手部１１から埃等の異物が混入することを防ぐことができる。
【００３８】
収納体をプラスチックなどの紙以外の素材で形成する場合には、図９に示すように、開閉蓋の他の実施の形態として、開閉蓋７０，７０を取出口用と取手部用とに二つ設けてもよい。この場合、開閉蓋７０，７０の取付け位置は、取出口１０と取手部１１とをそれぞれ被覆できるように折曲できる位置であればどこでもよく、図１０に示す位置に取付けてもよいし、図示はしないが、側面部６と上面部５との縁部に取付けてもよい。その他の構成については、上述した実施の形態と同じなので説明は省略する。
【００３９】
図１１は、収納体が１枚のシートを組み立てることにより形成される場合の、展開図の一実施形態を示している。
収納体における、正面部２、底面部３、背面部４、上面部５、開閉蓋７は、図１１に示すように、連続して取付けられている。また、正面部２には、箱体の組み立ての際に、上面部５の裏面の端部と接着するための接着しろ２Ｂが取付けられている。なお、図１１の点線（取出口１０と開口部１１Ａを示す以外の点線）で示す部分は、折れ線を示しており、当該点線を山折りにして、箱体を組み立てていくものである。さらに、開閉蓋７には、前述したようにタック（差込フラップ）７Ａが形成されている。
【００４０】
正面部２には、破断線（ミシン目）で取出口１０が形成されており、使用時に破断線を切ることで、シートを取り出せるようになっている。また、底面部３との境の縁部にはタック差込口２Ａが形成されている。
【００４１】
上面部５には、破断線（ミシン目）で開口部１１Ａが形成されており、使用時に破断線を切ることで、取手部１１が形成されるようになっている。また、背面部４との境の縁部にはタック差込口５Ａが形成されている。
【００４２】
また、正面部２、底面部３、背面部４、上面部５のそれぞれの両短辺側からは、正面フラップ２ａ，２ａ、底面フラップ３ａ，３ａ、背面フラップ４ａ，４ａ、上面フラップ５ａ，５ａが、延在している。
【００４３】
側面部６，６の組み立てについては、まず正面フラップ２ａ，２ａ及び背面フラップ４ａ，４ａを折れ線を介して収納体の内部に折り畳む。その後、底面フラップ３ａ，３ａを同様に折れ線を介して巻取ロールシート用収納体の内部に折り畳み、正面フラップ２ａ，２ａ及び背面フラップ４ａ，４ａのそれぞれの下部を覆うように折り畳む。最後に、上面フラップ５ａ，５ａを折れ線を介して収納体の内部に折り畳み、正面フラップ２ａ，２ａ及び背面フラップ４ａ，４ａのそれぞれの上部、及び底面フラップ３ａ，３ａの上部を覆うように折り畳めばよい。なお、側面部６，６の組み立ては、上記方法に限定されず、様々な方法で組み立てることができる。
【図面の簡単な説明】
【００４４】
【図１】本発明に係るロールシート用収納体及び収納体一体型ロールシートの斜視図である。
【図２】その正面図である。
【図３】その上面図である。
【図４】そのＩ−Ｉ断面図である。
【図５】そのＩＩ−ＩＩ断面図である。
【図６】開閉蓋と上面部との関係を示す斜視図である。
【図７】開閉蓋と正面部との関係を示す斜視図である。
【図８】回転保持具の構成を説明するための斜視図である。
【図９】開閉蓋の他の実施の形態（１）を説明するための斜視図である。
【図１０】開閉蓋の他の実施の形態（２）を説明するための斜視図である。
【図１１】本発明に係るロールシート用収納体が紙シートを組み立てることで形成される場合の展開図である。
【図１２】取出口の他の実施形態（１）を示す正面図である。
【図１３】取出口の他の実施形態（２）を示す正面図である。
【図１４】取出口の他の実施形態（３）を示す正面図である。
【図１５】取出口の他の実施形態（４）を示す正面図である。
【図１６】開口部と仕切り面との関係を説明するための断面図である。
【符号の説明】
【００４５】
１…ロールシート、１Ａ…ロール芯、２…正面部、２Ａ…タック差込口、２Ｂ…接着しろ、２ａ…正面フラップ、３…底面部、３ａ…底面フラップ、４…背面部、４ａ…背面フラップ、５…上面部、５Ａ…タック差込口、５ａ…上面フラップ、６…側面部、７…開閉蓋、７Ａ…タック（差込フラップ）、８…回転保持具、８Ａ…保持軸、８Ｂ…保持板、８ａ…第１の当て板、８ｂ…第２の当て板、９…仕切り面、１０…取出口、１１…取手部、１１Ａ…開口部、１１Ｂ…把持部、７０…開閉蓋。
【図１】
2007055614.tif 000003
【図２】
2007055614.tif 000004
【図３】
2007055614.tif 000005
【図４】
2007055614.tif 000006
【図５】
2007055614.tif 000007
【図６】
2007055614.tif 000008
【図７】
2007055614.tif 000009
【図８】
2007055614.tif 000010
【図９】
2007055614.tif 000011
【図１０】
2007055614.tif 000012
【図１１】
2007055614.tif 000013
【図１２】
2007055614.tif 000014
【図１３】
2007055614.tif 000015
【図１４】
2007055614.tif 000016
【図１５】
2007055614.tif 000017
【図１６】
2007055614.tif 000018